(57)【要約】【課題】目盛りや原稿の載置位置の確認が不要であって、簡単かつ速やかに原稿を位置決めすることが可能な原稿読取り装置を提供する。【解決手段】定型サイズＡ４の原稿を位置決めするときには、原稿ガイド部材１５の手持ち片１５ａを下側に押し下げて、原稿ガイド部材１５のみを下方に回転移動させ、原稿ガイド部材１５を透明ガラス板１１に重ね合わせる。このとき、原稿ガイド部材１５の開口部１９が、スキャナにより読取られる透明ガラス板１１上の定型サイズＡ４のエリアＰａに重なる。このエリアＰａに定型サイズＡ４の原稿を入れて載置するだけで、定型サイズＡ４の原稿を正確に位置決めすることができる。これにより、スキャナによる定型サイズＡ４の原稿の正確な読取りが可能になる。【選択図】図２
2007017872.tif 000002
【特許請求の範囲】
【請求項１】
原稿を載置するための原稿載置台を備え、この原稿載置台に載置された原稿を読取る原稿読取り装置において、
前記原稿載置台上で、定型サイズの原稿の相互に交差する少なくとも２辺をガイドするガイド部材を備え、このガイド部材を前記原稿載置台に対して開閉自在に設けたことを特徴とする原稿読取り装置。
【請求項２】
原稿を載置するための原稿載置台を備え、この原稿載置台に載置された原稿を読取る原稿読取り装置において、
前記原稿載置台上で、該原稿載置台により定型サイズの原稿の１辺がガイドされる状態で、該原稿の該１辺に交差する他の１辺をガイドするガイド部材を備え、このガイド部材を前記原稿載置台に対して開閉自在に設けたことを特徴とする原稿読取り装置。
【請求項３】
ガイド部材は、原稿の辺の一部をガイドすることを特徴とする請求項１又は２に記載の原稿読取り装置。
【請求項４】
相互に異なる定型サイズのそれぞれの原稿をガイドする複数のガイド部材を備えることを特徴とする請求項１又は２に記載の原稿読取り装置。
【請求項５】
原稿載置台に対して開閉自在に設けられ、閉じられたときに該原稿載置台上の原稿を押さえる原稿押さえ部材を備え、
ガイド部材は、前記原稿押さえ部材に収納可能であることを特徴とする請求項１又は２に記載の原稿読取り装置。
【請求項６】
ガイド部材は、該ガイド部材によりガイドされている原稿の取り出しを容易にするための切り欠き部を有することを特徴とする請求項１又は２に記載の原稿読取り装置。
【発明の詳細な説明】
【技術分野】
【０００１】
本発明は、複写機やファクシミリ装置等に装備され、原稿載置台に載置された原稿を読取る原稿読取り装置に関する。
【背景技術】
【０００２】
複写機やファクシミリ装置等の原稿読取り装置においては、透明なガラス板等からなる原稿載置台の下方にスキャナを配置しておき、原稿を透明なガラスに載置し、透明なガラス板を通じて、スキャナの光を原稿の下面に照射しつつ、原稿からの反射光をスキャナのイメージセンサ等に入射させて、このイメージセンサ等により原稿の画像を読取る様にしている。
【０００３】
原稿載置台には、目盛り等が印されており、この目盛りを基準にして原稿を所定位置に載置し、スキャナによる原稿の読取り位置がずれない様にしている。
【０００４】
また、特許文献１には、原稿載置台の直交する２辺に、複数のＬＥＤを配列しておき、各辺のＬＥＤを選択的に点灯することにより、原稿の位置を指示するという技術が開示されている。
【０００５】
更に、特許文献２には、原稿載置台の１辺に目盛りを設けると共に、透明なガラス板を通じて目視することが可能なスキャナに目盛りを設け、スキャナを移動させて、平行な２つの目盛りの間隔を適宜に設定し、該各目盛り間で原稿を位置決めするという技術が開示されている。
【特許文献１】特開２０００−３５８１３１号公報
【特許文献２】特開平６−１９４７５１号公報
【発明の開示】
【発明が解決しようとする課題】
【０００６】
しかしながら、原稿載置台の基準となる目盛り等は、複写機やファクシミリ装置の種類により異なる。例えば、ユーザ側から見て、目盛りが原稿載置台の奥に印されていたり、原稿載置台の手前に印されていたり、原稿載置台の中央に印されている。このため、ユーザは、使用しようとする装置の種類が替わる度に、原稿載置台の目盛りを確認して、原稿を載置すべき位置を理解してから、原稿を載置させねばならなかった。また、目盛りが原稿載置台の辺に設けられているので、原稿が目盛りから離れた箇所に載置されることが多く、このために原稿の正確な位置決めが困難であって、手間がかかった。
【０００７】
また、特許文献１では、ＬＥＤを選択的に点灯することにより原稿の位置を指示しているので、原稿の位置を特定し易いが、やはり原稿がＬＥＤから離れた箇所に載置されるため、原稿の正確な位置決めが困難であって、手間がかかった。
【０００８】
更に、特許文献２では、平行な２つの目盛りの間で原稿を位置決めするので、該各目盛りと直交する方向での原稿の位置決めを容易に行い得るものの、該各目盛りの長手方向での原稿の位置決めについては、該各目盛りに頼らざるを得ず、手間がかかった。
【０００９】
そこで、本発明は、上記従来の問題点に鑑みてなされたものであり、目盛りや原稿の載置位置の確認が不要であって、簡単かつ速やかに原稿を位置決めすることが可能な原稿読取り装置を提供することを目的とする。
【課題を解決するための手段】
【００１０】
上記課題を解決するために、本発明は、原稿を載置するための原稿載置台を備え、この原稿載置台に載置された原稿を読取る原稿読取り装置において、前記原稿載置台上で、定型サイズの原稿の相互に交差する少なくとも２辺をガイドするガイド部材を備え、このガイド部材を前記原稿載置台に対して開閉自在に設けている。
【００１１】
一方、本発明は、原稿を載置するための原稿載置台を備え、この原稿載置台に載置された原稿を読取る原稿読取り装置において、前記原稿載置台上で、該原稿載置台により定型サイズの原稿の１辺がガイドされる状態で、該原稿の該１辺に交差する他の１辺をガイドするガイド部材を備え、このガイド部材を前記原稿載置台に対して開閉自在に設けている。
【００１２】
また、本発明においては、ガイド部材は、原稿の辺の一部をガイドしている。
【００１３】
更に、本発明においては、相互に異なる定型サイズのそれぞれの原稿をガイドする複数のガイド部材を備えている。
【００１４】
また、本発明においては、原稿載置台に対して開閉自在に設けられ、閉じられたときに該原稿載置台上の原稿を押さえる原稿押さえ部材を備え、ガイド部材は、前記原稿押さえ部材に収納可能である。
【００１５】
更に、本発明においては、ガイド部材は、該ガイド部材によりガイドされている原稿の取り出しを容易にするための切り欠き部を有している。
【発明の効果】
【００１６】
本発明の原稿読取り装置によれば、原稿載置台上で、定型サイズの原稿の相互に交差する少なくとも２辺をガイドするガイド部材を備えている。あるいは、前記原稿載置台上で、該原稿載置台により定型サイズの原稿の１辺がガイドされる状態で、該原稿の該１辺に交差する他の１辺をガイドするガイド部材を備えている。従って、定型サイズの原稿は、相互に直交する２辺をガイドされることになり、その載置位置を特定される。すなわち、目盛りや原稿の載置位置を確認しなくても、簡単かつ速やかに原稿を位置決めすることができる。
【００１７】
また、ガイド部材を原稿載置台に対して開閉自在に設けているので、ガイド部材を必要なときにだけ原稿載置台にセットすることができる。
【００１８】
また、本発明によれば、定型サイズの原稿の相互に交差する２辺をガイドするので、該原稿の辺全体をガイドしなくても、該原稿を位置決めすることができる。従って、ガイド部材として、原稿の辺の一部をガイドするものを適用することができる。この場合は、ガイド部材を小型化することができる。
【００１９】
更に、相互に異なる定型サイズのそれぞれの原稿をガイドする複数のガイド部材を設けても良い。この場合は、各ガイド部材を重ねて設ける。
【００２０】
また、ガイド部材を原稿押さえ部材に収納可能にしているため、ガイド部材を設けたことにより原稿読取り装置が大型化することがない。
【００２１】
更に、ガイド部材に切り欠き部を設けているので、この切欠部を通じて原稿を容易に取り出すことができる。
【発明を実施するための最良の形態】
【００２２】
以下、本発明の実施形態を添付図面を参照しつつ詳細に説明する。
【００２３】
図１は、本発明の原稿読取り装置の一実施形態を適用した画像形成装置を示す斜視図である。この画像形成装置１では、原稿を読取り、この読取った原稿の画像を記録用紙に印字するという複写を行うものであって、この装置１の上側に原稿読取り装置２を設け、この原稿読取り装置２の下側に、記録用紙への印字処理を行う印字部（装置本体に内蔵されているので図示せず）、排紙部４、及び給紙部５等を設け、その側壁に給紙部トレイ６及び排紙トレイ７等を設けている。
【００２４】
原稿読取り装置２は、透明なガラス板１１を含む原稿載置台１２と、ガラス板１１の下方に設けられたスキャナ（図示せず）と、原稿載置台１２に開閉自在に枢支された原稿搬送押さえ部材１４と、原稿搬送押さえ部材１４の下面側に重ねて設けられた２枚の原稿ガイド部材１５、１６とを少なくとも備えている。また、原稿載置台１２の手前側には、画像形成装置１の操作パネル１７及び液晶表示部１８が設けられている。
【００２５】
この様な画像形成装置１において、複写を行うには、まず原稿読取り装置２の原稿載置台１２の透明ガラス板１１に原稿を載置する。このとき、原稿が定型サイズ（Ａ４又はＢ５）であるならば、後で述べる様に原稿搬送押さえ部材１４の原稿ガイド部材１５又は１６を用いて、原稿の位置決めを行っても良い。また、原稿ガイド部材１５又は１６を用いずに、原稿の位置決めを行っても構わない。
【００２６】
透明ガラス板１１に原稿を載置したならば、原稿搬送押さえ部材１４を閉じて、原稿搬送押さえ部材１４により原稿を押さえ付ける。ただし、原稿ガイド部材１５又は１６を用いる場合は、原稿搬送押さえ部材１４を閉じても閉じなくてもどちらでも良い。この様な状態で、操作パネル１７を操作して、原稿の複写を指示すると、透明なガラス板１１を通じて、スキャナの光が原稿の下面に照射されつつ、原稿からの反射光がスキャナのイメージセンサ等に入射されて、このイメージセンサ等により原稿の画像が読取られる。そして、給紙部５から記録用紙が引き出され、装置本体に内蔵の印字部により該読取られた原稿の画像が該引き出された記録用紙に印字されて、この記録用紙が排紙部４又は排紙トレイ７に排出される。
【００２７】
また、原稿搬送押さえ部材１４を閉じて、原稿搬送押さえ部材１４の上面側の原稿トレイ（図示せず）に原稿をセットした状態で、操作パネル１７を操作して、原稿の複写を指示すると、原稿搬送押さえ部材１４の内側に原稿が引き入れられて搬送され、原稿が原稿搬送押さえ部材１４のスリット１４ａの箇所を搬送されて通過する。このスリット１４ａでの原稿の通過に際し、原稿読取り装置２では、原稿載置台１２のスリット１２ｂを通じて、スキャナのイメージセンサ等により原稿の画像が読取られる。そして、給紙部５から記録用紙が引き出され、装置本体に内蔵の印字部により該読取られた原稿の画像が該引き出された記録用紙に印字されて、この記録用紙が排紙部４又は排紙トレイ７に排出される。
【００２８】
尚、印字部による印字処理の方式は、電子写真方式であっても、他の方式であっても構わない。
【００２９】
この様な画像形成装置１においては、原稿を透明ガラス板１１の所定位置に載置しなければ、スキャナによる原稿の読取り位置がずれてしまい、記録用紙に印字された画像もずれてしまう。このため、原稿を透明ガラス板１１の所定位置に載置する必要がある。
【００３０】
しかしながら、従来の様に原稿載置台の目盛りを参照して、原稿を所定位置に載置するならば、原稿の正確な位置決めが困難であって、手間がかかる。
【００３１】
そこで、本実施形態では、原稿搬送押さえ部材１４の原稿ガイド部材１５又は１６を用いて、原稿載置台１２の透明ガラス板１１上に、定型サイズの原稿を簡単かつ速やかに位置決めすることできる様にしている。
【００３２】
各原稿ガイド部材１５、１６は、図１に示す様に略矩形の平板状のものであって、それらの縁を原稿搬送押さえ部材１４側で枢支されており、通常、原稿搬送押さえ部材１４の下側面に重ねられて収納されている。これらの原稿ガイド部材１５、１６は、定型サイズＡ４、Ｂ５の原稿を位置決めするためのそれぞれの開口部１９、２０を有している。
【００３３】
定型サイズＡ４の原稿を位置決めするときには、図２に示す様に原稿ガイド部材１５の手持ち片１５ａを下側に押し下げて、原稿ガイド部材１５のみを下方に回転移動させ、原稿ガイド部材１５を透明ガラス板１１に重ね合わせる。このとき、原稿ガイド部材１５の開口部１９が、スキャナにより読取られる透明ガラス板１１上の定型サイズＡ４のエリアＰａ（図１に示す）に重なる。より詳しくは、原稿ガイド部材１５の開口部１９の３辺１９ａ、１９ｂ、１９ｃがエリアＰａの３辺に重なる。また、原稿載置台１２の１辺１２ｃがエリアＰａの残りの１辺となっている。従って、定型サイズＡ４のエリアＰａは、原稿ガイド部材１５の開口部１９の３辺１９ａ〜１９ｃと原稿載置台１２の１辺１２ｃとにより縁取られる。このため、この縁取られたエリアＰａに定型サイズＡ４の原稿を入れて載置するだけで、定型サイズＡ４の原稿を正確に位置決めすることができる。これにより、スキャナによる定型サイズＡ４の原稿の正確な読取りが可能になる。
【００３４】
また、定型サイズＢ５の原稿を位置決めするときには、原稿ガイド部材１６の手持ち片１６ａを下側に押し下げて、各原稿ガイド部材１５、１６を共に下方に回転移動させて、原稿ガイド部材１５を透明ガラス板１１に重ね合わせ、更に原稿ガイド部材１６を重ね合わせる。このとき、先に述べた様に原稿ガイド部材１５の開口部１９が透明ガラス板１１上のエリアＰａに重なり、更に原稿ガイド部材１６の開口部２０が、原稿ガイド部材１５の開口部１９を通じて、スキャナにより読み取られる透明ガラス板１１上の定型サイズＢ５のエリアＰｂ（図１に示す）に重なる。より詳しくは、原稿ガイド部材１６の開口部２０の３辺２０ａ、２０ｂ、２０ｃがエリアＰｂの３辺に重なる。また、原稿載置台１２の１辺１２ｃがエリアＰｂの残りの１辺となっている。従って、定型サイズＢ５のエリアＰｂは、原稿ガイド部材１６の開口部２０の３辺２０ａ〜２０ｃと原稿載置台１２の１辺１２ｃとにより縁取られる。このため、この縁取られたエリアＰｂに定型サイズＢ５の原稿を入れて載置するだけで、定型サイズＢ５の原稿を正確に位置決めすることができる。これにより、スキャナによる定型サイズＢ５の原稿の正確な読取りが可能になる。
【００３５】
また、原稿ガイド部材１６の開口部２０は、突起枠２０ｄにより縁取られており、この突起枠２０ｄが原稿ガイド部材１５の開口部１９を通じて透明ガラス板１１に直接接触する。これは、原稿ガイド部材１６の開口部２０が原稿ガイド部材１５の開口部１９を通じて透明ガラス板１１に重なる状態であっても、原稿ガイド部材１６の開口部２０が透明ガラス板１１から浮き上がらない様にするためである。これにより、原稿ガイド部材１６の開口部２０で定型サイズＢ５の原稿を確実にガイドすることができる。
【００３６】
尚、各原稿ガイド部材１５、１６は、原稿載置台１２の１辺１２ｃの段差に重なる箇所で、該段差に整合する様に折り曲げられている。
【００３７】
また、原稿ガイド部材１５もしくは１６を透明ガラス板１１に重ね合わせ、定型サイズの原稿を透明ガラス板１１に載置して位置決めした状態では、原稿搬送押さえ部材１４を閉じても閉じなくても、スキャナによる原稿の読取りを行うことができる。
【００３８】
図３（ａ）、（ｂ）は、各原稿ガイド部材１５、１６を原稿搬送押さえ部材１４の下側面に重ねて収納した状態で（図１の状態で）、各原稿ガイド部材１５、１６の枢支箇所を拡大して示す正面図及び側面図である。また、図４（ａ）、（ｂ）は、原稿ガイド部材１５のみを下方に回転移動させて透明ガラス板１１に重ね合わせた状態で（図２の状態で）、各原稿ガイド部材１５、１６の枢支箇所を拡大して示す正面図及び側面図である。
【００３９】
各原稿ガイド部材１５、１６を枢支する枢支軸２１は、原稿搬送押さえ部材１４の凹部１４ａに配置され、該凹部１４ａの内側で固定支持されている。枢支軸２１の両側には、一対のトルクリミッタ摩擦クラッチ２２及び一対のトルクリミッタ摩擦クラッチ２３が通されており、一方のトルクリミッタ摩擦クラッチ２３が他方のトルクリミッタ摩擦クラッチ２２の内側に配置されている。
【００４０】
内側の各トルクリミッタ摩擦クラッチ２３には、原稿ガイド部材１６の１辺１６ｂの両側を支持するそれぞれの支持部材２５が接続されている。支持部材２５は、根元片２５ａとＬ型片２５ｂとを組み合わせて結合したものであり、根元片２５ａがトルクリミッタ摩擦クラッチ２３側に接続固定され、Ｌ型片２５ｂが原稿ガイド部材１６の１辺１６ｂ側に接続固定され、これにより原稿ガイド部材１６の１辺１６ｂがトルクリミッタ摩擦クラッチ２３に連結されている。Ｌ型片２５ｂには、該Ｌ型片２５ｂを補強するリブ２５ｃが形成されている。
【００４１】
トルクリミッタ摩擦クラッチ２３は、常に、枢支軸２１周りの原稿ガイド部材１６の回転運動に対して適宜の摩擦抵抗を与えるものであり、原稿ガイド部材１６の自重によるモーメントが作用しても、原稿ガイド部材１６が枢支軸２１周りで回転しない様に該原稿ガイド部材１６を摩擦抵抗により静止させて支持する。また、原稿ガイド部材１６の手持ち片１６ａが下側に押し下げられて、原稿ガイド部材１６に大きな荷重が加わったときには、この荷重によるモーメントがトルクリミッタ摩擦クラッチ２３の摩擦抵抗に打ち勝って、原稿ガイド部材１６が枢支軸２１周りで回転する。更に、原稿ガイド部材１６の手持ち片１６ａが上側に押し上げられたときにも、このときの荷重によるモーメントがトルクリミッタ摩擦クラッチ２３の摩擦抵抗に打ち勝って、原稿ガイド部材１６が枢支軸２１周りで回転する。
【００４２】
従って、原稿ガイド部材１６は、押し下げられたり、押し上げられているときにだけ、枢支軸２１周りで回転移動し、荷重が加えれられなくなると、そのときの原稿搬送押さえ部材１４に対する回転姿勢を維持する。
【００４３】
同様に、外側の各トルクリミッタ摩擦クラッチ２２にも、原稿ガイド部材１５の１辺１５ｂの両側を支持するそれぞれの支持部材２４が接続されている。支持部材２４は、根元片２４ａとＬ型片２４ｂとを組み合わせて結合したものであり、根元片２４ａがトルクリミッタ摩擦クラッチ２３側に接続固定され、Ｌ型片２４ｂが原稿ガイド部材１５の１辺１５ｂ側に接続固定され、これにより原稿ガイド部材１５の１辺１５ｂがトルクリミッタ摩擦クラッチ２２に連結されている。Ｌ型片２４ｂには、該Ｌ型片２４ｂを補強するリブ２４ｃが形成されている。
【００４４】
トルクリミッタ摩擦クラッチ２２も、常に、原稿ガイド部材１６の自重によるモーメントが作用しても、原稿ガイド部材１６が枢支軸２１周りで回転しない様に該原稿ガイド部材１６を摩擦抵抗により静止させて支持している。そして、原稿ガイド部材１６が押し下げられたり押し上げられて、原稿ガイド部材１６に荷重が加わったときにだけ、原稿ガイド部材１６が枢支軸２１周りで回転し、荷重が加えれられなくなると、そのときの原稿搬送押さえ部材１４に対する原稿ガイド部材１６の回転姿勢が維持される。
【００４５】
この様にトルクリミッタ摩擦クラッチ２２、２３により原稿ガイド部材１５、１６を原稿搬送押さえ部材１４の枢支軸２１周りで支持しているので、原稿ガイド部材１５、１６を原稿搬送押さえ部材１４の下側面に重ねて収納した状態を維持することができる。また、原稿ガイド部材１５、１６を透明ガラス板１１に重ね合わせて静止させることもできる。
【００４６】
図５は、原稿搬送押さえ部材の変形例を示している。この変形例の原稿搬送押さえ部材３１は、原稿ガイド部材１５、１６と同様に、その１辺３１ａを原稿搬送押さえ部材１４側でトルクリミッタ摩擦クラッチを介して枢支され、通常、原稿搬送押さえ部材１４の下側面に重ねられて収納され、必要なときに押し下げられて透明ガラス板１１に重ね合わせられる。
【００４７】
この原稿搬送押さえ部材３１が透明ガラス板１１に重ね合わせられたときには、この原稿搬送押さえ部材３１の開口部３２の３辺３２ａ、３２ｂ、３２ｃが、スキャナにより読取られる透明ガラス板１１上の定型サイズのエリアの３辺に重なる。また、原稿載置台１２の１辺１２ｃが該エリアの残りの１辺となっている。従って、定型サイズの該エリアは、原稿搬送押さえ部材３１の開口部３２の３辺３２ａ、３２ｂ、３２ｃと原稿載置台１２の１辺１２ｃとの４辺により縁取られる。このため、この縁取られたエリアに定型サイズの原稿を入れて載置するだけで、この原稿を正確に位置決めすることができる。
【００４８】
また、原稿搬送押さえ部材３１には、切欠部３１ｂが設けられている。この切欠部３１ｂを通じて原稿の縁を持ち上げることにより、原稿を透明ガラス板１１から容易に引き離すことができる。
【００４９】
尚、定型サイズの原稿を位置決めするには、定型サイズの辺の全てをガイドする必要がなく、定型サイズの交差する少なくとも２辺をガイドし、かつ定型サイズの辺の一部をガイドするだけで良い。従って、例えば図５の点線３３に沿って原稿搬送押さえ部材３１の下側半分を削除して、開口部３２の１辺３２ａを省略し、他の１辺３２ｂを短くしても構わない。
【００５０】
また、定型サイズの原稿を位置決めするには、定型サイズの相互に交差する少なくとも２辺をガイドすれば良いので、原稿載置台１２の１辺１２ｃを原稿の位置決めのために用いるのであれば、例えば図５の点線３３、３４に沿って原稿搬送押さえ部材３１の下側半分及び右側半分を削除して、開口部３２の辺３２ｃを残すだけでも構わない。ただし、原稿載置台１２の１辺１２ｃを原稿の位置決めのために用いない場合は、原稿搬送押さえ部材に原稿を位置決めするための少なくとも２辺を残す必要がある。
【００５１】
図６は、原稿搬送押さえ部材の他の変形例を示している。この他の変形例の原稿押さえ部材４１は、原稿ガイド部材１５、１６と同様に、その１辺４１ａを原稿搬送押さえ部材１４側でトルクリミッタ摩擦クラッチを介して枢支され、通常、原稿搬送押さえ部材１４の下側面に重ねられて収納され、必要なときに押し下げられて透明ガラス板１１に重ね合わせられる。
【００５２】
この原稿搬送押さえ部材４１の開口部４２は、図６上で縦置きの定型サイズＡ４の原稿を位置決めするための開口部４３と、図６上で横置きの定型サイズＢ４の原稿を位置決めするための開口部４４とを合成したものである。この原稿搬送押さえ部材４１が透明ガラス板１１に重ね合わせられたときには、開口部４３の各辺４３ａ、４３ｂが、スキャナにより読取られる透明ガラス板１１上の縦置き定型サイズＡ４のエリアの各辺に重なり、原稿載置台１２の１辺１２ｃが該エリアの他の１辺となる。同時に、開口部４４の各辺４４ａ、４４ｂが、スキャナにより読取られる透明ガラス板１１上の横置き定型サイズＢ４のエリアの各辺に重なり、原稿載置台１２の１辺１２ｃが該エリアの他の１辺となる。従って、縦置き定型サイズＡ４のエリアが開口部４３の各辺４３ａ、４３ｂと原稿載置台１２の１辺１２ｃとにより縁取られ、同時に横置き定型サイズＢ４のエリアが開口部４４の各辺４４ａ、４４ｂと原稿載置台１２の１辺１２ｃとにより縁取られる。このため、これらの縁取られたエリアに定型サイズＡ４又はＢ４の原稿を入れて載置するだけで、これらの原稿を正確に位置決めすることができる。
【００５３】
尚、先に述べた様に定型サイズの原稿を位置決めするには、定型サイズの辺の一部をガイドするだけで良いので、例えば図６の点線４５に沿って原稿搬送押さえ部材３１の下側半分を削除しても構わない。また、定型サイズの原稿を位置決めするには、定型サイズの相互に交差する少なくとも２辺をガイドすれば良いので、原稿載置台１２の１辺１２ｃを原稿の位置決めのために用いるのであれば、例えば図６の点線４５、４６に沿って原稿搬送押さえ部材３１の下側半分及び右側部分を削除しても構わない。あるいは、図６の点線４７に沿って原稿搬送押さえ部材３１の左側半分を削除しても、原稿の位置決めが可能である。
【００５４】
本発明は、上記実施形態に限定されるものではなく、多様に変形することができる。例えば、原稿押さえ部材の材質として、可撓性を有する合成樹脂シートを用いても構わない。
【図面の簡単な説明】
【００５５】
【図１】本発明の原稿読取り装置の一実施形態を適用した画像形成装置を示す斜視図である。
【図２】図１の原稿読取り装置の２つの原稿ガイド部材の一方を押し下げた状態を示す斜視図である。
【図３】（ａ）、（ｂ）は、２つの原稿ガイド部材を原稿搬送押さえ部材の下側面に重ねて収納した状態で（図１の状態で）、各原稿ガイド部材の枢支箇所を拡大して示す正面図及び側面図である。
【図４】（ａ）、（ｂ）は、一方の原稿ガイド部材のみを下方に回転移動させて透明ガラス板に重ね合わせた状態で（図２の状態で）、各原稿ガイド部材の枢支箇所を拡大して示す正面図及び側面図である。
【図５】原稿搬送押さえ部材の変形例を示す平面図である。
【図６】原稿搬送押さえ部材の他の変形例を示す平面図である。
【符号の説明】
【００５６】
１  画像形成装置
２  原稿読取り装置
４  排紙部
５  給紙部
６  給紙トレイ
７  排紙トレイ
１１  透明ガラス板
１２  原稿載置台
１４  原稿搬送押さえ部材
１５、１６、３１、４１  原稿ガイド部材
１７  操作パネル
１８  液晶表示部
１９、２０  開口部
２１  枢支軸
２２、２３  トルクリミッタ摩擦クラッチ
２４、２５  支持部材
【図１】
2007017872.tif 000003
【図２】
2007017872.tif 000004
【図３】
2007017872.tif 000005
【図４】
2007017872.tif 000006
【図５】
2007017872.tif 000007
【図６】
2007017872.tif 000008